(57)【要約】【構成】  包装容器本体の外表面にＡＲマーカーを表示するとともに拡張現実を利用してパソコン又はスマートフォンのカメラ機能によって前記ＡＲマーカーを撮影することによってその画面に表示された実写映像の中にＣＧ画像を合体表示するようにした菓子用包装容器である。【効果】  実写映像された包装容器と関連してＣＧによって別の情報を仮装現実として表示することができる。消費者は、その商品に関して興味が高まるため、商品の魅力は向上し、消費者の注目を引き付ける結果、商品の消費を拡大させることができる。この場合、前記ＡＲマーカー及び前記ＣＧ画像は前記被包装物に関する情報にすれば、商品に関する興味は更に高まり上記効果はより一層向上する。【選択図】              図２
2016018236.tif 000002
【特許請求の範囲】
【請求項１】
包装容器本体の外表面にＡＲマーカーを表示するとともに拡張現実を利用してパソコン又はスマートフォンのカメラ機能によって前記ＡＲマーカーを撮影することによってその画面に表示された実写映像の中にＣＧ画像を合体表示することを特徴とする菓子用包装容器。
【請求項２】
前記ＡＲマーカー及び前記ＣＧ画像は前記被包装物に関する情報であることを特徴とする請求港１の菓子用包装容器。
【請求項３】
前記包装容器とは、包装用箱、包装用袋又は包装用瓶であることを特徴とする請求項１又は請求項２の菓子用包装容器。
【請求項４】
前記被包装物に関する情報とは、被包装物の品質又は被包装物の品質に関する情報、被包装物の販売地又は販売地に関する情報、被包装物の原材料又は原材料に関する情報若しくは被包装物の生産者又は生産者に関する情報であることを特徴とする請求項２又は請求項３の菓子用包装容器。
【発明の詳細な説明】
【技術分野】
【０００１】
この発明は菓子用包装容器に関し、菓子を取引する際に使用されるものである。
【背景技術】
【０００２】
菓子用包装容器においては、被包装物である菓子の魅力を増大させることにより消費者の注目を惹きつけ、ひいては、消費を拡大させるためにいろいろと工夫する必要があった。このため、従来にあっては、菓子（被包装物）のイメージに基づいて、容器本体の形状を変形したり、容器本体の外表面の模様を工夫したり、商標を作成しこれを付したりして消費者の注目を引き付けていた。
【０００３】
【特許文献１】実３０９６７０９号
【特許文献２】実用平６−８５２９３号
【発明の開示】
【発明が解決しようとする課題】
【０００４】
しかしながら、かかる従来における菓子包装容器にあっては、単なる箱体、袋体又は瓶からなり、その形状及び模様は略固定的であったため、その商品の魅力を発揮しにくく、この結果消費者の注目を引きつけにくく、ひいては、商品の消費を拡大しにくいという不都合を有した。
【０００５】
この不都合を解消することがこの発明の課題である。
【課題を解決するための手段】
【０００６】
前記課題を達成するために、この発明にかかる菓子用包装容器においては、包装容器本体の外表面にＡＲマーカーを表示するとともに拡張現実を利用してパソコン又はスマートフォンのカメラ機能によって前記ＡＲマーカーを撮影することによってその画面に表示された実写映像の中にＣＧ（コンピューターグラフック）画像を合体表示するようにしたものである。
【０００７】
この場合、前記ＡＲマーカー及び前記ＣＧ画像は前記被包装物に関する情報にすることができる。
【０００８】
なお、前記包装容器とは、包装用箱、包装用袋又は包装用瓶である。
【０００９】
また、前記被包装物に関する情報とは、被包装物の品質又は被包装物の品質に関する情報、被包装物の販売地又は販売地に関する情報、被包装物の原材料又は原材料に関する情報若しくは被包装物の生産者又は生産者に関する情報である。
【発明の効果】
【００１０】
この発明に係る菓子用包装容器は上記のように構成されているため、即ち、包装容器本体の外表面にＡＲマーカーを表示するとともに拡張現実を利用してパソコン又はスマートフォンのカメラ機能によって前記ＡＲマーカーを撮影することによってその画面に表示された実写映像の中にＣＧ画像を合体表示するようにしたため、実写映像された包装容器と関連してＣＧによって別の情報を仮装現実として表示することができる。
【００１１】
よって、この菓子用包装容器を使用すれば、消費者は、その商品に関して興味が高まるため、商品の魅力は向上し、消費者の注目を引き付ける結果、商品の消費を拡大させることができる。
【００１２】
この場合、前記ＡＲマーカー及び前記ＣＧ画像は前記被包装物に関する情報にすれば、商品に関する興味は更に高まり上記効果はより一層向上する。
【００１３】
なお、前記包装容器とは、包装用箱、包装用袋又は包装用瓶であるため、全ての包装容器に対応することが明確である。
【００１４】
また、前記被包装物に関する情報とは、被包装物の品質又は被包装物の品質に関する情報、被包装物の販売地又は販売地に関する情報、被包装物の原材料又は原材料に関する情報若しくは被包装物の生産者又は生産者に関する情報であるため、被包装物に関する情報は殆ど含まれる。
【発明を実施するための最良の形態】
【００１５】
この発明に係る菓子用包装容器は実施するにあたって下記の構成に最も主要な特徴を有する。
【００１６】
「包装容器」とは、包装用箱、包装用袋又は包装用瓶が該当し、いかなる形状のものも含まれる。これらの材料としては紙、金属、プラスチック等従来存在する全てのものが含まれる。
【００１７】
「被包装物」とは菓子が該当するがこれに限定されるものでない。
【００１８】
「ＡＲマーカー」とは所謂拡張現実機能で利用するマーカーである。
【００１９】
「拡張現実」とは所謂現実世界の映像にデジタル情報を重ね合わせることである。
【００２０】
「パソコン又はスマートフォン」とは所謂タブレット型パソコンが該当する。
【００２１】
「ＣＧによって表示」される状態は立体図形、動画等である。
【００２２】
「被包装物に関する情報」には、被包装物の品質又は被包装物の品質に関する情報、被包装物の販売地又は販売地に関する情報、被包装物の原材料又は原材料に関する情報若しくは被包装物の生産者又は生産者に関する情報等が該当する。
【００２３】
ここに、「被包装物の品質又は被包装物の品質に関する情報」には、被包装物の写真、図形、絵、名称、品質成分等が該当する。「被包装物の販売地又は販売地に関する情報」には「被包装物の販売地の地図、名称、風景、名所、旧跡等が該当する。「被包装物の原材料又は原材料に関する情報」には被包装物の原材料の名称、写真、図形、絵、同生産地の地図、名称、風景、名所、旧跡等、同生産者の氏名、写真，絵等が該当する。「被包装物の生産者又は生産者に関する情報」には被包装物の生産者の氏名、写真、絵等が該当する。
【実施例】
【００２４】
以下、この発明の実施例を図面に基づいて説明する。
【００２５】
図１はこの発明に係る菓子用包装容器の第一実施例の斜視図、図２は同菓子用包装容器がタブレットパソコンに拡張現実として表現された斜視図、図３は第二実施例の図１に相当する図、図４は同図２に相当する図である。
【００２６】
図１及び図２はこの発明に係る菓子用包装容器の第一実施例を示したものである。
【００２７】
図１において、１０は菓子用包装箱（この発明の「菓子用包装容器」に相当する）、１１はその包装箱本体（この発明の「包装容器本体」に相当する）である。この包装箱本体１１は紙製であり略直方体をしている。この菓子用包装箱１０には菓子が被包装物として収容されている。
【００２８】
２０は「被包装物に関する情報の表示」であり、前記包装箱本体１１の上表面に印刷されている。この「被包装物に関する情報の表示２０」は被包装物である菓子の商標、名称、販売地の名所（城）のイラスト等が適宜配置された状態で表示されている。またこの「被包装物に関する情報の表示２０」は拡張現実のＡＲマーカーとして後記サーバー４０に登録されている。
【００２９】
次に、図２において、３０はタブレット型パソコンであり、拡張現実ソフトがダウンロードされている。また、４０はこのパソコン３０とインターネットで繋がれたサーバーである。このサーバー４０には拡張現実のＡＲマーカー及びＣＧが登録されている。
【００３０】
前記パソコン３０のカメラ機能によって前記ＡＲマーカーを撮影するとインターネット回線を介して前記サーバー４０につながる。そして、このサーバー４０からインターネット回線を介してＣＧがダウンロードされ、パソコン３０の画面３１に「城の立体画像」５０を表示する。このとき、同時に前記包装箱本体１１が実写映像３２として表示され、前記「城の立体画像」５０は前記ＡＲマーカーの位置、即ち、前記包装箱本体１１の上表面に一体的に表示される。この「城の立体画像」５０は被包装物である菓子の販売地の観光名所に該当する。なお立体画像は城に関するものに限らずいかなるものでもよい。また表示されるＣＧは立体画像以外に動画、平面画像、音楽のいずれでもよい。
【００３１】
図３及び図４は第二実施例を示したものであり、前記包装用箱１１が城の石垣状をしており、ＣＧの「城の立体画像」５０が恰もこの実写映像３２である石垣状の包装用箱１１の上面に立っているかのごとく前記画面３１上に表現される。このため「城の立体画像」５０がより興味深いものとなって表現される。
【産業上の利用可能性】
【００３２】
この発明に係る菓子用包装容器は、実写映像された包装容器と関連してＣＧによって別の情報を仮装現実として表示することができる。消費者は、その商品に関して興味が高まるため、商品の魅力は向上し、消費者の注目を引き付ける結果、商品の消費を拡大させることができる。産業上の利用可能性は高いものである。
【図面の簡単な説明】
【００３３】
【図１】図１はこの発明に係る菓子用包装容器の第一実施例の斜視図である。
【図２】図２は同菓子用包装容器がタブレットパソコンに拡張現実として表現された斜視図である。
【図３】図３は第二実施例の図１に相当する図である。
【図４】図４は同図２に相当する図である。
【符号の説明】
【００３４】
１０  …  菓子用包装箱（菓子用包装容器）
１１  …  包装箱本体（包装容器本体）
２０  …  被包装物に関する情報の表示
３０  …  タブレット型パソコン
３１  …  画面
３２  …  実写映像
４０  …  サーバー
５０  …  城の立体画像
【図１】
2016018236.tif 000003
【図２】
2016018236.tif 000004
【図３】
2016018236.tif 000005
【図４】
2016018236.tif 000006